(57)【要約】【課題】  鍵の施錠操作又は解錠操作に応じて制御対象機器の制御を切り替えることができ、さらに使用する鍵に応じても制御対象機器の制御を切り替えることができる機器制御装置、機器制御方法、機器制御プログラム及び機器制御システムを提供する。【解決手段】  操作状態取得部３１は、電子鍵１，２による操作が施錠操作であるか又は解錠操作であるかを表す操作状態情報を取得し、鍵情報取得部３２は、電子鍵１，２に記憶されており、制御対象機器４０を制御するための鍵情報を取得し、機器制御部３３は、操作状態取得部３１によって取得された操作状態情報と、鍵情報取得部３２によって取得された鍵情報とに基づいて制御対象機器４０を制御する。【選択図】      図１
2005307736.tif 000002
【特許請求の範囲】
【請求項１】
鍵による操作が施錠操作であるか又は解錠操作であるかを表す操作状態情報を取得する操作状態取得手段と、
前記鍵に記憶されており、制御対象機器を制御するための制御情報を取得する制御情報取得手段と、
前記操作状態取得手段によって取得された前記操作状態情報と、前記制御情報取得手段によって取得された前記制御情報とに基づいて前記制御対象機器を制御する機器制御手段とを備えることを特徴とする機器制御装置。
【請求項２】
前記鍵は、当該鍵を識別する識別情報を記憶し、
前記制御情報取得手段は、前記鍵が記憶する前記識別情報を取得し、
前記操作状態情報と、前記識別情報と、制御対象機器を制御する機器制御情報とを対応付けて記憶する機器制御情報記憶手段をさらに備え、
前記機器制御手段は、前記操作状態取得手段によって取得された前記操作状態情報と、前記制御情報取得手段によって取得された前記識別情報とに対応する前記機器制御情報を前記機器制御情報記憶手段から選択し、選択された機器制御情報に基づいて前記制御対象機器を制御することを特徴とする請求項１記載の機器制御装置。
【請求項３】
前記鍵は、当該鍵を識別する識別情報を記憶し、
前記制御情報取得手段は、前記鍵が記憶する前記識別情報を取得し、
前記操作状態情報と、前記識別情報と、前記制御対象機器の制御方法を特定する制御モードとを対応付けて記憶する制御モード記憶手段と、
前記制御モードと、制御対象機器を制御する機器制御情報とを対応付けて記憶する機器制御情報記憶手段と、
前記操作状態取得手段によって取得された前記操作状態情報と、前記制御情報取得手段によって取得された前記識別情報とに対応する前記制御モードを前記制御モード記憶手段から選択する制御モード選択手段とをさらに備え、
前記機器制御手段は、前記制御モード選択手段によって選択された制御モードに対応する前記機器制御情報を前記機器制御情報記憶手段から選択し、選択された機器制御情報に基づいて前記制御対象機器を制御することを特徴とする請求項１記載の機器制御装置。
【請求項４】
前記鍵による操作が施錠操作であるか又は解錠操作であるかを識別する操作状態識別手段をさらに備え、
前記操作状態取得手段は、前記操作状態識別手段によって識別された操作状態情報を取得することを特徴とする請求項１〜３のいずれかに記載の機器制御装置。
【請求項５】
前記操作状態識別手段を複数備え、
前記制御情報取得手段は、複数の前記操作状態識別手段によって識別された複数の操作状態情報を取得し、
前記制御情報取得手段によって取得された操作状態情報のうちの最新の操作状態情報を判定する判定手段をさらに備え、
前記機器制御手段は、前記判定手段によって最新であると判定された操作状態情報と、前記制御情報取得手段によって取得された前記制御情報とに基づいて前記制御対象機器を制御することを特徴とする請求項４記載の機器制御装置。
【請求項６】
前記操作状態取得手段は、屋内から施錠又は解錠する内錠による操作が施錠操作であるか又は解錠操作であるかを表す操作状態情報を取得し、
前記制御情報取得手段は、前記内錠を識別する識別情報を取得することを特徴とする請求項１〜５のいずれかに記載の機器制御装置。
【請求項７】
前記制御対象機器は、防犯機器及び家電機器のうちの少なくとも１つであり、
前記機器制御手段は、前記操作状態取得手段によって取得された前記操作状態情報と、前記制御情報取得手段によって取得された前記制御情報とに基づいて防犯機器及び家電機器のうちの少なくとも１つの運転状態を設定することを特徴とする請求項１〜６のいずれかに記載の機器制御装置。
【請求項８】
鍵による操作が施錠操作であるか又は解錠操作であるかを表す操作状態情報を取得する操作状態取得ステップと、
前記鍵に記憶されており、制御対象機器を制御するための制御情報を取得する制御情報取得ステップと、
前記操作状態取得ステップにおいて取得された前記操作状態情報と、前記制御情報取得ステップにおいて取得された前記制御情報とに基づいて前記制御対象機器を制御する機器制御ステップとを含むことを特徴とする機器制御方法。
【請求項９】
鍵による操作が施錠操作であるか又は解錠操作であるかを表す操作状態情報を取得する操作状態取得手段と、
前記鍵に記憶されており、制御対象機器を制御するための制御情報を取得する制御情報取得手段と、
前記操作状態取得手段によって取得された前記操作状態情報と、前記制御情報取得手段によって取得された前記制御情報とに基づいて前記制御対象機器を制御する機器制御手段としてコンピュータを機能させることを特徴とする機器制御プログラム。
【請求項１０】
電子鍵によって解錠又は施錠される電気錠と、前記電気錠と通信可能に接続されるとともに、制御対象機器を制御する機器制御装置とを備える機器制御システムであって、
前記電子鍵は、
制御対象機器を制御するための制御情報を記憶する制御情報記憶手段を備え、
前記電気錠は、
前記制御情報記憶手段から制御情報を読み出す読出手段と、
前記電子鍵による操作が施錠操作であるか又は解錠操作であるかを識別する操作状態識別手段とを備え、
前記機器制御装置は、
前記操作状態識別手段によって識別され、前記電子鍵による操作が施錠操作であるか又は解錠操作であるかを表す操作状態情報を取得する操作状態取得手段と、
前記読出手段によって読み出された前記制御情報を取得する制御情報取得手段と、
前記操作状態取得手段によって取得された前記操作状態情報と、前記制御情報取得手段によって取得された前記制御情報とに基づいて前記制御対象機器を制御する機器制御手段とを備えることを特徴とする機器制御システム。
【発明の詳細な説明】
【技術分野】
【０００１】
本発明は、機器を制御する機器制御装置、機器制御方法、機器制御プログラム及び機器制御システムに関するものである。
【背景技術】
【０００２】
家庭用の防犯システムは大手警備会社から手軽な防犯ベルまで多種多様である。警備会社や設備機材メーカーは、各家庭に防犯センサーを設置する。そして、外出の際にユーザは、コントローラなどを用いて防犯モードに設定する。防犯モードに設定後、防犯センサーが侵入者などを感知すると警報を鳴らすとともに外部へ通報したり、警備員が駆けつけたりするなどのサービスを提供している。
【０００３】
また、外出時にエアコンや照明などを確認するネットワーク家電システムや、外出先からエアコンの操作を行うようなネットワーク家電システムが提案されている。これらのシステムは、操作する人が意識をして行う必要がある。
【０００４】
施錠時に、電気錠により扉や窓の錠を閉め、ガス栓を同時に閉とし、解錠時に、電気錠を開とするセキュリティシステムが知られている（特許文献１参照）。
【０００５】
多数の会社が入居するビル内で勤務する人が保有する入出門管理用のＩＤカードにより、その人に関係するビル内の限られた範囲の空調、照明、エレベータ運行、事務室の電気錠などの制御を行う入退室管理装置が知られている（特許文献２参照）。この装置では、同じ事務室に勤務する人の空調、照明、エレベータ運行及び事務室の電気錠などの制御については、同じにしている。
【特許文献１】実開平６−１９０９９号公報（１頁〜２頁、図１）
【特許文献２】特開平５−２５０３７５号公報（１頁〜２頁、図１）
【発明の開示】
【発明が解決しようとする課題】
【０００６】
家庭では、家族の外出時間や帰宅時間はばらばらである。例えば、自分以外の家族が防犯モードに設定したことを知らずに帰宅した場合、防犯センサーが感知してしまい、誤報となる。このような誤報が続くと、ユーザは結果的に防犯システムの利用を控えることもある。また、外出していない場合でも、軽微な防犯モードに設定したいなど、状況に応じて防犯モードの設定を切り替えたいような要望もある。
【０００７】
また、上述のネットワーク家電システムにより、外出中に家庭内の機器の状況を確認することはできるが、機器の設定は、個々に人手により行うこととなる。
【０００８】
このように、従来の家庭用防犯システムでは、防犯モードの設定・解除を行う際の操作性を向上させるとともに誤報を防止できるようにし、家庭内の機器の操作の利便性を向上させることが望まれている。
【０００９】
本発明は、上記の問題を解決するためになされたもので、鍵の施錠操作又は解錠操作に応じて制御対象機器の制御を切り替えることができ、さらに使用する鍵に応じても制御対象機器の制御を切り替えることができる機器制御装置、機器制御方法、機器制御プログラム及び機器制御システムを提供することを目的とするものである。
【課題を解決するための手段】
【００１０】
本発明に係る機器制御装置は、鍵による操作が施錠操作であるか又は解錠操作であるかを表す操作状態情報を取得する操作状態取得手段と、前記鍵に記憶されており、制御対象機器を制御するための制御情報を取得する制御情報取得手段と、前記操作状態取得手段によって取得された前記操作状態情報と、前記制御情報取得手段によって取得された前記制御情報とに基づいて前記制御対象機器を制御する機器制御手段とを備える。
【００１１】
この構成によれば、鍵による操作が施錠操作であるか又は解錠操作であるかを表す操作状態情報が取得され、鍵に記憶された制御対象機器を制御するための制御情報が取得される。そして、取得された操作状態情報と制御情報とに基づいて制御対象機器が制御される。
【００１２】
したがって、鍵による操作が施錠操作であるか又は解錠操作であるかを表す操作状態情報と、鍵に記憶された制御対象機器を制御するための制御情報とに基づいて制御対象機器が制御されるので、鍵の施錠操作又は解錠操作に応じて制御対象機器の制御を切り替えることができ、さらに使用する鍵に応じても制御対象機器の制御を切り替えることができる。
【００１３】
また、上記の機器制御装置において、前記鍵は、当該鍵を識別する識別情報を記憶し、前記制御情報取得手段は、前記鍵が記憶する前記識別情報を取得し、前記操作状態情報と、前記識別情報と、制御対象機器を制御する機器制御情報とを対応付けて記憶する機器制御情報記憶手段をさらに備え、前記機器制御手段は、前記操作状態取得手段によって取得された前記操作状態情報と、前記制御情報取得手段によって取得された前記識別情報とに対応する前記機器制御情報を前記機器制御情報記憶手段から選択し、選択された機器制御情報に基づいて前記制御対象機器を制御することが好ましい。
【００１４】
この構成によれば、鍵には、鍵を識別する識別情報が記憶されている。また、操作状態情報と識別情報と制御対象機器を制御する機器制御情報とが対応付けて記憶されている。そして、鍵が記憶する識別情報が取得され、取得された操作状態情報と識別情報とに対応する機器制御情報が選択され、選択された機器制御情報に基づいて制御対象機器が制御される。
【００１５】
したがって、鍵を識別する識別情報という比較的データ量の少ない情報を用いることで、鍵に記憶するデータ量を少なくすることができる。また、操作状態情報と識別情報と制御対象機器を制御する機器制御情報とを対応付けて記憶しておくことにより、取得された操作状態情報と識別情報とに対応する機器制御情報を容易に選択することができる。
【００１６】
また、上記の機器制御装置において、前記鍵は、当該鍵を識別する識別情報を記憶し、前記制御情報取得手段は、前記鍵が記憶する前記識別情報を取得し、前記操作状態情報と、前記識別情報と、前記制御対象機器の制御方法を特定する制御モードとを対応付けて記憶する制御モード記憶手段と、前記制御モードと、制御対象機器を制御する機器制御情報とを対応付けて記憶する機器制御情報記憶手段と、前記操作状態取得手段によって入取得れた前記操作状態情報と、前記制御情報取得手段によって取得された前記識別情報とに対応する前記制御モードを前記制御モード記憶手段から選択する制御モード選択手段とをさらに備え、前記機器制御手段は、前記制御モード選択手段によって選択された制御モードに対応する前記機器制御情報を前記機器制御情報記憶手段から選択し、選択された機器制御情報に基づいて前記制御対象機器を制御することが好ましい。
【００１７】
この構成によれば、鍵には、鍵を識別する識別情報が記憶されている。また、操作状態情報と識別情報と制御対象機器の制御方法を特定する制御モードとが対応付けて記憶されており、制御モードと、制御対象機器を制御する機器制御情報とが対応付けて記憶されている。そして、鍵が記憶する識別情報が取得され、取得された操作状態情報と識別情報とに対応する制御モードが選択される。続いて、選択された制御モードに対応する機器制御情報が選択され、選択された機器制御情報に基づいて制御対象機器が制御される。
【００１８】
したがって、鍵の操作状態情報と識別情報と制御対象機器の制御方法を特定する制御モードとを対応付けておくことによって、操作状態と識別情報とを取得するだけで制御モードを容易に選択することができる。また、制御モードと、制御対象機器を制御する機器制御情報とを対応付けておくことによって、制御モード毎に制御対象機器の制御を容易に変更することができる。
【００１９】
また、上記の機器制御装置において、前記鍵による操作が施錠操作であるか又は解錠操作であるかを識別する操作状態識別手段をさらに備え、前記操作状態取得手段は、前記操作状態識別手段によって識別された操作状態情報を取得することが好ましい。
【００２０】
この構成によれば、鍵による操作が施錠操作であるか又は解錠操作であるかが識別され、識別された操作状態情報が取得されるので、鍵の施錠又は解錠に応じた制御対象機器の制御が可能となる。
【００２１】
また、上記の機器制御装置において、前記操作状態識別手段を複数備え、前記制御情報取得手段は、複数の前記操作状態識別手段によって識別された複数の操作状態情報を取得し、前記制御情報取得手段によって取得された操作状態情報のうちの最新の操作状態情報を判定する判定手段をさらに備え、前記機器制御手段は、前記判定手段によって最新であると判定された操作状態情報と、前記制御情報取得手段によって取得された前記制御情報とに基づいて前記制御対象機器を制御することが好ましい。
【００２２】
この構成によれば、複数の操作状態識別手段によって識別された複数の操作状態情報が取得され、取得された複数の操作状態情報のうちの最新の操作状態情報が判定される。そして、最新であると判定された操作状態情報と、取得された制御情報とに基づいて制御対象機器が制御される。したがって、複数の操作状態情報が取得されたとしても、最新の操作状態情報と制御情報とに基づいて制御対象機器が制御されるので、常に最新の鍵の操作状態に応じて制御対象機器を制御することができる。
【００２３】
また、上記の機器制御装置において、前記操作状態取得手段は、屋内から施錠又は解錠する内錠による操作が施錠操作であるか又は解錠操作であるかを表す操作状態情報を取得し、前記制御情報取得手段は、前記内錠を識別する識別情報を取得することが好ましい。
【００２４】
この構成によれば、屋内から施錠又は解錠する内錠による操作が施錠操作であるか又は解錠操作であるかを表す操作状態情報が取得され、内錠を識別する識別情報が取得され、取得された操作状態情報と識別情報とに基づいて制御対象機器が制御される。したがって、ユーザが屋内にいる場合であっても、内錠の操作状態と識別情報とに基づいて制御対象機器を制御することができる。
【００２５】
また、上記の機器制御装置において、前記制御対象機器は、防犯機器及び家電機器のうちの少なくとも１つであり、前記機器制御手段は、前記操作状態取得手段によって取得された前記操作状態情報と、前記制御情報取得手段によって取得された前記制御情報とに基づいて防犯機器及び家電機器のうちの少なくとも１つの運転状態を設定することが好ましい。
【００２６】
この構成によれば、制御対象機器は、防犯機器及び家電機器のうちの少なくとも１つであり、取得された操作状態情報と制御情報とに基づいて防犯機器及び家電機器のうちの少なくとも１つの運転状態が設定される。したがって、鍵の施錠操作又は解錠操作に応じて防犯機器及び家電機器のうちの少なくとも１つの運転状態を切り替えることができ、さらに使用する鍵に応じても防犯機器及び家電機器のうちの少なくとも１つの運転状態を切り替えることができる。
【００２７】
本発明に係る機器制御方法は、鍵による操作が施錠操作であるか又は解錠操作であるかを表す操作状態情報を取得する操作状態取得ステップと、前記鍵に記憶されており、制御対象機器を制御するための制御情報を取得する制御情報取得ステップと、前記操作状態取得ステップにおいて取得された前記操作状態情報と、前記制御情報取得ステップにおいて取得された前記制御情報とに基づいて前記制御対象機器を制御する機器制御ステップとを含む。
【００２８】
この構成によれば、鍵による操作が施錠操作であるか又は解錠操作であるかを表す操作状態情報が取得され、鍵に記憶された制御対象機器を制御するための制御情報が取得される。そして、取得された操作状態情報と制御情報とに基づいて制御対象機器が制御される。
【００２９】
したがって、鍵による操作が施錠操作であるか又は解錠操作であるかを表す操作状態情報と、鍵に記憶された制御対象機器を制御するための制御情報とに基づいて制御対象機器が制御されるので、鍵の施錠操作又は解錠操作に応じて制御対象機器の制御を切り替えることができ、さらに使用する鍵に応じても制御対象機器の制御を切り替えることができる。
【００３０】
本発明に係る機器制御プログラムは、鍵による操作が施錠操作であるか又は解錠操作であるかを表す操作状態情報を取得する操作状態取得手段と、前記鍵に記憶されており、制御対象機器を制御するための制御情報を取得する制御情報取得手段と、前記操作状態取得手段によって取得された前記操作状態情報と、前記制御情報取得手段によって取得された前記制御情報とに基づいて前記制御対象機器を制御する機器制御手段としてコンピュータを機能させる。
【００３１】
この構成によれば、鍵による操作が施錠操作であるか又は解錠操作であるかを表す操作状態情報が取得され、鍵に記憶された制御対象機器を制御するための制御情報が取得される。そして、取得された操作状態情報と制御情報とに基づいて制御対象機器が制御される。
【００３２】
したがって、鍵による操作が施錠操作であるか又は解錠操作であるかを表す操作状態情報と、鍵に記憶された制御対象機器を制御するための制御情報とに基づいて制御対象機器が制御されるので、鍵の施錠操作又は解錠操作に応じて制御対象機器の制御を切り替えることができ、さらに使用する鍵に応じても制御対象機器の制御を切り替えることができる。
【００３３】
本発明に係る機器制御システムは、電子鍵によって解錠又は施錠される電気錠と、前記電気錠と通信可能に接続されるとともに、制御対象機器を制御する機器制御装置とを備える機器制御システムであって、前記電子鍵は、制御対象機器を制御するための制御情報を記憶する制御情報記憶手段を備え、前記電気錠は、前記制御情報記憶手段から制御情報を読み出す読出手段と、前記電子鍵による操作が施錠操作であるか又は解錠操作であるかを識別する操作状態識別手段とを備え、前記機器制御装置は、前記操作状態識別手段によって識別され、前記電子鍵による操作が施錠操作であるか又は解錠操作であるかを表す操作状態情報を取得する操作状態取得手段と、前記読出手段によって読み出された前記制御情報を取得する制御情報取得手段と、前記操作状態取得手段によって取得された前記操作状態情報と、前記制御情報取得手段によって取得された前記制御情報とに基づいて前記制御対象機器を制御する機器制御手段とを備える。
【００３４】
この構成によれば、電子鍵の制御情報記憶手段には、制御対象機器を制御するための制御情報が記憶されている。そして、電気錠において、制御情報記憶手段から制御情報が読み出され、電子鍵による操作が施錠操作であるか又は解錠操作であるかが識別される。次に、機器制御装置において、電気錠で識別され、電子鍵による操作が施錠操作であるか又は解錠操作であるかを表す操作状態情報が取得され、電気錠で読み出された制御情報が取得される。そして、このようにして取得された操作状態情報と制御情報とに基づいて制御対象機器が制御される。
【００３５】
したがって、電子鍵による操作が施錠操作であるか又は解錠操作であるかを表す操作状態情報と、電子鍵に記憶された制御対象機器を制御するための制御情報とに基づいて制御対象機器が制御されるので、電子鍵の施錠操作又は解錠操作に応じて制御対象機器の制御を切り替えることができ、さらに使用する電子鍵に応じても制御対象機器の制御を切り替えることができる。
【発明の効果】
【００３６】
本発明によれば、鍵による操作が施錠操作であるか又は解錠操作であるかを表す操作状態情報と、鍵に記憶された制御対象機器を制御するための制御情報とに基づいて制御対象機器が制御されるので、鍵の施錠操作又は解錠操作に応じて制御対象機器の制御を切り替えることができ、さらに使用する鍵に応じても制御対象機器の制御を切り替えることができる。
【発明を実施するための最良の形態】
【００３７】
以下、本発明の実施の形態を、図面を参照しながら順次説明する。
【００３８】
（実施の形態１）
図１は、本発明の実施の形態１に係る機器制御システムの一例である防犯システムの構成を示すブロック図である。図１において、機器制御システムの一例である防犯システムは、電子鍵１，２、電気錠２０、コントローラ３０及び制御対象機器４０を備えて構成される。電子鍵１は、鍵情報記憶部１０１を備え、電子鍵２は、鍵情報記憶部２０１を備える。鍵情報記憶部１０１，２０１は、電子鍵を識別するための識別情報と、電子鍵で制御する機器の種別を表す機器種別情報とを含む鍵情報を記憶する。
【００３９】
図２は、本発明の実施の形態１において、電子鍵１、電子鍵２及び内錠２３に記憶される鍵情報の一例を示す図であり、図２（ａ）は、電子鍵１に記憶される鍵情報の一例を示す図であり、図２（ｂ）は、電子鍵２に記憶される鍵情報の一例を示す図であり、図２（ｃ）は、内錠２３に記憶される鍵情報の一例を示す図である。
【００４０】
電子鍵１の鍵情報記憶部１０１には、鍵種別情報（識別情報）と機器種別情報とが記憶されている。例えば、鍵情報記憶部１０１は、図２（ａ）に示すように、「電子鍵１」という鍵種別情報と、「エアコン」、「照明」及び「人感センサー」という機器種別情報とを対応付けて記憶している。
【００４１】
電子鍵２の鍵情報記憶部２０１には、鍵種別情報（識別情報）と機器種別情報とが記憶されている。例えば、鍵情報記憶部２０１は、図２（ｂ）に示すように、「電子鍵２」という鍵種別情報と、「エアコン」、「照明」及び「人感センサー」という機器種別情報とを対応付けて記憶している。
【００４２】
電気錠２０は、電子鍵１又は電子鍵２による室外での扉の施錠又は解錠の操作、あるいは、内錠２３による室内での扉の施錠又は解錠の操作、および、防犯の状態の選択が行える電子回路を内蔵した錠である。電気錠２０は、操作状態識別部２１、情報読出部２２及び内錠２３を備える。
【００４３】
操作状態識別部２１は、電気錠２０が施錠及び解錠のいずれの操作状態であるかを識別し、検知する。情報読出部２２は、電子鍵１、電子鍵２及び内錠２３が記憶する鍵情報を読み出す。
【００４４】
内錠２３は、家屋の内部で使用する制御情報選択用の錠である。従来の扉に設ける錠には、シリンダー錠に加えて、内側から施錠又は解錠する錠が付いている場合がある。ユーザは、内側のつまみを回すことにより、扉の施錠又は解錠ができる。内錠２３は、このような内部錠の機能を果たすことができる。内錠２３は、電気錠２０の内部に取り付けられており、電気錠２０の内錠２３用のつまみを操作することにより、扉の施錠又は解錠ができる。この操作に従って、操作状態識別部２１は、施錠又は解錠を示す操作状態情報を操作状態取得部３１へ出力する。同時に、情報読出部２２は、内錠２３が備える鍵情報記憶部２３１から内錠２３の鍵情報を読み出し、鍵情報取得部３２へ出力する。内錠２３は、鍵情報記憶部２３１を備える。鍵情報記憶部２３１は、内錠を識別するための識別情報と、内錠で制御する機器の種別を表す機器種別情報とを含む鍵情報を記憶する。
【００４５】
内錠２３の鍵情報記憶部２３１には、鍵種別情報（識別情報）と機器種別情報とが記憶されている。例えば、鍵情報記憶部２３１は、図２（ｃ）に示すように、「内錠」という鍵種別情報と、「エアコン」、「照明」及び「通報センサー」という機器種別情報とを対応付けて記憶している。
【００４６】
機器制御装置の一例であるコントローラ３０は、電子鍵１，２及び内錠２３による操作が施錠操作であるか又は解錠操作であるかを表す操作状態情報を取得する操作状態取得部３１と、電子鍵１，２及び内錠２３に記憶されており、制御対象機器４０を制御するための鍵情報を取得する鍵情報取得部３２と、操作状態取得部３１によって取得された操作状態情報と、鍵情報取得部３２によって取得された鍵情報とに基づいて制御対象機器４０を制御する機器制御部３３と、操作状態情報と鍵情報と制御対象機器４０を制御する機器制御情報とを対応付けた制御機器テーブルを記憶する制御機器テーブル記憶部３４とを備える。
【００４７】
操作状態取得部３１は、操作状態識別部２１によって出力された操作状態情報を取得する。鍵情報取得部３２は、情報読出部２２によって読み出された鍵情報を取得する。機器制御部３３は、制御機器テーブル記憶部３４に記憶されている制御機器テーブルを参照し、操作状態取得部３１によって取得された操作状態情報と、鍵情報取得部３２によって取得された鍵情報とに対応する機器制御情報を選択し、選択された機器制御情報を制御対象機器４０へ出力する。
【００４８】
図３は、本発明の実施の形態１において、制御機器テーブル記憶部３４が記憶する制御機器テーブルの一例を示す図である。制御機器テーブル３４１のフィールドは、電子鍵毎に割り振られた鍵種別（識別情報）と、電子鍵の操作状態と、電子鍵が操作された際に制御する機器種別と、機器を制御するためのタイマー設定方法と、タイマー設定方法に従った入り時間と、タイマー設定方法に従った切り時間と、機器を制御するための運転状態とで構成される。例えば、電子鍵１により施錠された場合、エアコンはエアコン本体に設定されたタイマー設定を有効化し、照明は１９：００に電源を投入するとともに０：００に電源を切断し、人感センサーは運転を開始し（運転状態をＯＮにする）、防犯状態とする。
【００４９】
制御対象機器４０は、コントローラ３０によって制御される機器であり、例えば、エアコン、照明、冷蔵庫、電子レンジ、テレビ及び留守番電話などのいわゆる家庭電化製品（家電機器）や、人感センサや通報センサなどの住設機器や住環境を測定・検知するセンサー等である。
【００５０】
なお、図１において、コントローラ３０に接続される制御対象機器４０は１台だけであるが、本発明は特にこれに限定されず、コントローラ３０には複数の制御対象機器４０が接続されてもよい。
【００５１】
また、本実施の形態において、操作状態取得部３１が操作状態取得手段の一例に相当し、鍵情報取得部３２が制御情報取得手段の一例に相当し、機器制御部３３が機器制御手段の一例に相当し、制御機器テーブル記憶部３４が機器制御情報記憶手段の一例に相当し、操作状態識別部２１が操作状態識別手段の一例に相当し、鍵情報記憶部１０１，２０１が制御情報記憶手段の一例に相当し、情報読出部２２が読出手段の一例に相当する。
【００５２】
次に、本発明の実施の形態１に係る防犯システムの動作について説明する。図４は、本発明の実施の形態１に係る防犯システムの動作について説明するためのフローチャートである。
【００５３】
まず、操作状態識別部２１は、電気錠２０が操作されたか否かを判断する。すなわち、操作状態識別部２１は、電子鍵１又は電子鍵２による操作、あるいは内錠２３による操作が施錠操作であるか又は解錠操作であるかを識別する（ステップＳ１）。ここで、電気錠２０の操作が行われない場合（ステップＳ１でＮＯ）、電気錠２０の操作が行われるまで待機状態となる。
【００５４】
ユーザは、電子鍵１，２を扉に設けた電気錠２０の鍵穴に差し込み、所定の方向に回転させることにより、扉を施錠又は解錠する。この機構は、周知のシリンダー形態の錠と同様でよい。電気錠２０には、電子鍵１，２の回転操作により施錠されたか、解錠されたかを検知する電気回路を設けておく。このためには、上記機構に連動してスイッチ回路を設けておけばよい。上記操作状態識別部２１はスイッチ回路で構成され、スイッチ回路のＯＮ、ＯＦＦ信号が操作状態情報としてコントローラ３０へ出力される。例えば、操作状態識別部２１は、電気錠２０が施錠された場合、ＯＮ信号をコントローラ３０へ出力し、電気錠２０が解錠された場合、ＯＦＦ信号をコントローラ３０へ出力する。
【００５５】
一方、電気錠２０の操作が行われ、電子鍵又は内錠による操作が施錠操作であるか又は解錠操作であるかが識別された場合（ステップＳ１でＹＥＳ）、操作状態識別部２１は、識別した操作状態を表す操作状態情報をコントローラ３０の操作状態取得部３１へ出力する。操作状態取得部３１は、操作状態識別部２１によって出力された操作状態情報を取得する（ステップＳ２）。
【００５６】
電子鍵１，２による施錠又は解錠の操作が行われた場合、情報読出部２２は、電気錠２０の鍵穴に挿入された電子鍵１，２が備える鍵情報記憶部１０１，２０１から鍵情報を読み出し、読み出した鍵情報をコントローラ３０の鍵情報取得部３２へ出力する。また、内錠２３による施錠又は解錠の操作が行われた場合、情報読出部２２は、電気錠２０の内錠２３が備える鍵情報記憶部２３１から鍵情報を読み出し、読み出した鍵情報をコントローラ３０の鍵情報取得部３２へ出力する。コントローラ３０の鍵情報取得部３２は、情報読出部２２によって出力された鍵情報を取得する（ステップＳ３）。
【００５７】
電子鍵１，２の内部には、メモリ（鍵情報記憶部１０１，２０１）が設けられており、ユーザが、鍵穴の中で電子鍵１，２を回転させたとき、電子鍵１，２に設けた接点と電気錠２０に設けた接点とが接触し、メモリに記憶されている鍵情報が電気錠２０に伝送される。なお、情報読出部２２は、電気錠２０の上記接点回路で構成される。
【００５８】
操作状態取得部３１は、取得した操作状態情報を機器制御部３３へ出力する。また、鍵情報取得部３２は、取得した鍵情報を機器制御部３３へ出力する。次に、機器制御部３３は、制御機器テーブル記憶部３４に記憶されている制御機器テーブルを参照し、操作状態情報と鍵情報とに基づいて、制御する制御対象機器とその制御内容とを決定する（ステップＳ４）。
【００５９】
制御機器テーブル記憶部３４は、制御機器テーブル３４１を記憶している。制御機器テーブル３４１には、鍵情報と操作状態情報との組み合わせで、家屋内の各種機器の制御の状態を規定する機器制御情報が規定されている。
【００６０】
次に、機器制御部３３は、家屋内の制御対象機器４０の各制御の状態を規定する機器制御情報を制御対象機器４０へ出力し、制御対象機器４０を制御する（ステップＳ５）。制御対象機器４０は、機器制御部３３によって出力された機器制御情報に基づく動作を開始する。
【００６１】
このように、家屋外から扉を施錠又は解錠する電子鍵１，２、及び家屋内から扉を施錠又は解錠する内錠２３の操作内容に基づき制御対象機器４０の制御が可能となる。
【００６２】
また、電子鍵１，２による操作が施錠操作であるか又は解錠操作であるかを表す操作状態情報が取得され、電子鍵１，２に記憶されており、制御対象機器４０を制御するための鍵情報が取得される。そして、取得された操作状態情報と鍵情報とに基づいて制御対象機器４０が制御される。
【００６３】
したがって、電子鍵１，２による操作が施錠操作であるか又は解錠操作であるかを表す操作状態情報と、電子鍵１，２に記憶されており、制御対象機器４０を制御するための鍵情報とに基づいて制御対象機器が制御されるので、電子鍵１，２の施錠操作又は解錠操作に応じて制御対象機器４０の制御を切り替えることができ、さらに使用する電子鍵１，２に応じても制御対象機器４０の制御を切り替えることができる。
【００６４】
さらに、電子鍵１，２には、電子鍵１，２を識別する識別情報が記憶されている。また、操作状態情報と識別情報と制御対象機器４０を制御する機器制御情報とが対応付けて記憶されている。そして、電子鍵１，２が記憶する識別情報が取得され、取得された操作状態情報と識別情報とに対応する機器制御情報が選択され、選択された機器制御情報に基づいて制御対象機器が制御される。
【００６５】
したがって、電子鍵１，２を識別する識別情報という比較的データ量の少ない情報を用いることで、電子鍵１，２に記憶するデータ量を少なくすることができる。また、操作状態情報と識別情報と制御対象機器４０を制御する機器制御情報とを対応付けて記憶しておくことにより、取得された操作状態情報と識別情報とに対応する機器制御情報を容易に選択することができる。
【００６６】
さらに、電子鍵１，２による操作が施錠操作であるか又は解錠操作であるかが識別され、識別された操作状態情報が取得されるので、電子鍵１，２の施錠又は解錠に応じた制御対象機器４０の制御が可能となる。
【００６７】
さらにまた、屋内から施錠又は解錠する内錠２３による操作が施錠操作であるか又は解錠操作であるかを表す操作状態情報が取得され、内錠２３を識別する識別情報が取得され、取得された操作状態情報と識別情報とに基づいて制御対象機器４０が制御される。したがって、ユーザが屋内にいる場合であっても、内錠２３の操作状態と識別情報とに基づいて制御対象機器４０を制御することができる。
【００６８】
なお、内錠２３は、電子鍵１，２と基本的に同様の構造にしてもよい。この場合、扉に設けた電気錠２０の家屋内部側に鍵穴が設けられる。そして、内錠に対応する専用の内鍵を鍵穴に挿入し、所定の方向に回転させることにより、内錠２３を施錠又は解錠する。内鍵には、上記の鍵情報を記憶するメモリを設け、内錠の解錠と施錠とに対応した機器制御情報を設定し、防犯動作を可能にすることができる。なお、上記内錠２３は、設けないようにしてもよい。また、電子鍵は、２通り以上でもよく、１通りだけでもよい。
【００６９】
また、電気錠２０が扉を施錠する構造は、電気錠２０に設けられた金属のかんぬき棒を入り口の周囲の枠である框に差し込む構造や、掛け金で扉を固定する構造のような周知の方法でよい。この場合、電子鍵１，２を鍵穴に差し込んで回転させる操作に機械的に連動させて、上記かんぬき棒や掛け金を移動させる。あるいは、上記かんぬき棒や掛け金をモータやマグネットの駆動力により移動させて施錠又は解錠を行う構造にしてもよい。電気錠２０は、電子鍵１，２の施錠動作又は解錠動作を電気的に検知したときに、モータやマグネットを駆動し、施錠又は解錠を行う。このようにしておけば、電気錠２０に他の場所から電気信号を送ることにより、扉を施錠又は解錠することが可能になる。
【００７０】
扉や窓の施錠又は解錠を電気的に行う電気錠２０の場合は、停電時に解錠にならないように、電気錠２０のそれまでの状態を維持する機構にすることが好ましい。このためには、施錠又は解錠の際には、トリガーをかけるために電気エネルギーを使用し、施錠又は解錠完了後は、電気エネルギーを使わない方式にすればよい。また、地震、火災などの緊急時には、手動で解錠できる機構にすることが好ましい。
【００７１】
本実施の形態では、電子鍵や内錠が記憶する情報は、それぞれを区別することができる情報であればよいので、情報量は少なくてすむ。制御機器テーブルに代表的な機器制御情報の組み合わせを用意しておけば、電子鍵の機能を変更することが可能になる。従って、複数の鍵を作成しても、それらの管理が容易である。
【００７２】
また、コントローラ３０と制御対象機器４０とに通信手段を搭載し、制御対象機器４０を制御しても良い。なお、コントローラ３０と制御対象機器４０とは、ネットワークにより接続されていてもよい。また、コントローラ３０の全て又は一部の構成を電気錠２０が備えていてもよい。
【００７３】
さらに、制御対象機器４０は、防犯機器及び家電機器のうちの少なくとも１つであり、取得された操作状態情報と鍵情報とに基づいて防犯機器及び家電機器のうちの少なくとも１つの運転状態が設定される。したがって、電子鍵１，２の施錠操作又は解錠操作に応じて防犯機器及び家電機器のうちの少なくとも１つの運転状態を切り替えることができ、さらに使用する電子鍵１，２に応じても防犯機器及び家電機器のうちの少なくとも１つの運転状態を切り替えることができる。
【００７４】
本実施の形態では、制御対象機器４０がエアコン、照明及び人感センサーである場合について説明しているが、本発明は特にこれに限定されず、他の家電機器に適用することも可能である。例えば、制御対象機器４０は、人間の音声を伝言メモとして録音することが可能な家電機器を含む。なお、このような家電機器としては、留守番電話、冷蔵庫及び音声を録音する録音装置などがある。
【００７５】
図５は、エアコン、照明、人感センサー及び留守番電話を制御する場合における電子鍵及び内錠に記憶される鍵情報の一例を示す図であり、図５（ａ）は、電子鍵１に記憶される鍵情報の一例を示す図であり、図５（ｂ）は、電子鍵２に記憶される鍵情報の一例を示す図であり、図５（ｃ）は、内錠２３に記憶される鍵情報の一例を示す図である。図５（ａ）に示すように、電子鍵１が記憶する鍵情報には、電子鍵１を表す鍵種別情報（識別情報）と留守番電話を表す機器種別情報とが含まれる。
【００７６】
図６は、エアコン、照明、人感センサー及び留守番電話を制御する場合における制御機器テーブルの一例を示す図である。図６に示す制御機器テーブル３４１’において、電子鍵１という鍵種別情報と、解錠という操作状態情報と、留守番電話という機器種別情報とには、伝言メモを再生するという機器制御情報が対応付けられている。そのため、電子鍵１により解錠された場合、機器制御部３３から留守番電話へ伝言メモを再生する機器制御情報が出力され、留守番電話は伝言メモを再生する。
【００７７】
なお、家電機器が複数の伝言メモを記憶することが可能な場合、各伝言メモ毎に鍵種別情報と操作状態情報と機器種別情報とを対応付けてもよい。この場合、解錠する電子鍵に応じて、再生する伝言メモを切り替えることができる。例えば、制御機器テーブルには、伝言メモを伝えたいユーザが保有する電子鍵に、当該伝言メモの再生が対応付けて記憶される。
【００７８】
例えば、制御対象機器４０が冷蔵庫である場合、電子鍵又は内錠の鍵情報に、冷蔵庫の扉のうちの特定の扉のみを開閉可能にする機器制御情報を対応付ける。電子鍵１を親が所有し、電子鍵２を子供が所有する場合、電子鍵１の識別情報と冷蔵庫の機器種別情報とを含む鍵情報が鍵情報記憶部１０１に記憶される。そして、制御機器テーブルには、電子鍵１の識別情報と、冷蔵庫の機器種別情報と、施錠の操作状態情報とに、冷蔵庫の特定の扉のみの開閉を許可する機器制御情報を対応付けて記憶する。子供が電子鍵２を用いて解錠した場合、子供は、上記設定された冷蔵庫の特定の扉しか開閉することができない。また、制御機器テーブルには、電子鍵１の識別情報と、冷蔵庫の機器種別情報と、解錠の操作状態情報とに、冷蔵庫の全ての扉の開閉を許可する機器制御情報を対応付けて記憶する。これにより、親が電子鍵１を用いて解錠した場合、親は、冷蔵庫の全ての扉を開閉することができる。
【００７９】
同様に、例えば、制御対象機器４０がテレビである場合、電子鍵又は内錠の鍵情報に、テレビの視聴可能時間帯を設定する機器制御情報を対応付ける。制御機器テーブルには、電子鍵１の識別情報と、テレビの機器種別情報と、施錠の操作状態情報とに、テレビの視聴可能時間帯を設定する機器制御情報を対応付けて記憶する。
【００８０】
（実施の形態２）
図７は、本発明の実施の形態２に係る機器制御システムの一例である防犯システムの構成を示すブロック図である。図７において、機器制御システムの一例である防犯システムは、電子鍵１，２、電気錠２０、コントローラ３０及び制御対象機器４０を備えて構成される。なお、実施の形態１における防犯システムと同じ構成については説明を省略し、実施の形態１とは異なる構成についてのみ説明する。
【００８１】
電子鍵１は、鍵情報記憶部１０１備え、電子鍵２は、鍵情報記憶部２０１備える。鍵情報記憶部１０１，２０１は、電子鍵を識別するための識別情報を記憶する。図８は、本発明の実施の形態２において、電子鍵１、電子鍵２及び内錠２３に記憶される鍵情報の一例を示す図であり、図８（ａ）は、電子鍵１に記憶される鍵情報の一例を示す図であり、図８（ｂ）は、電子鍵２に記憶される鍵情報の一例を示す図であり、図８（ｃ）は、内錠２３に記憶される鍵情報の一例を示す図である。
【００８２】
電子鍵１の鍵情報記憶部１０１には、鍵種別情報（識別情報）を含む鍵情報が記憶されている。例えば、鍵情報記憶部１０１は、図８（ａ）に示すように、「電子鍵１」という鍵種別情報を記憶している。電子鍵２の鍵情報記憶部２０１には、鍵種別情報（識別情報）を含む鍵情報が記憶されている。例えば、鍵情報記憶部２０１は、図８（ｂ）に示すように、「電子鍵２」という鍵種別情報を記憶している。
【００８３】
内錠２３は、鍵情報記憶部２３１を備える。鍵情報記憶部２３１には、内錠２３を識別するための識別情報を含む鍵情報が記憶されている。例えば、鍵情報記憶部２３１は、図８（ｃ）に示すように、「内錠」という鍵種別情報を記憶している。
【００８４】
コントローラ３０は、操作状態取得部３１、鍵情報取得部３２、機器制御部３３、制御機器テーブル記憶部３４、防犯モード選択部３５及び防犯モードテーブル記憶部３６を備える。
【００８５】
防犯モードテーブル記憶部３６は、電子鍵１，２及び内錠２３を識別する識別情報と、制御対象機器４０の制御方法を特定する防犯モードとを対応付ける防犯モードテーブルを記憶する。図９は、本発明の実施の形態２において、コントローラ３０の防犯モードテーブル記憶部３６に記憶される防犯モードテーブル３６１の一例を示す図である。
【００８６】
図９に示す防犯モードテーブル３６１には、電子鍵１、電子鍵２及び内錠２３が記憶する識別情報と、施錠又は解錠の操作状態とに予め割り当てられた防犯モード情報が格納されている。例えば、図９に示すように、「内錠」という識別情報と、「施錠」という操作状態とには、「ＯＦＦ」という防犯モードが対応付けられている。また、例えば、「電子鍵１」という識別情報と、「施錠」という操作状態とには、「Ａ」という防犯モードが対応付けられている。
【００８７】
防犯モード選択部３５は、防犯モードテーブル記憶部３６に記憶されている防犯モードテーブルを参照し、操作状態取得部３１によって取得された操作状態情報と、鍵情報取得部３２によって取得された識別情報とに対応する防犯モードを選択する。
【００８８】
機器制御部３３は、制御機器テーブル記憶部３４に記憶されている制御機器テーブルを参照し、防犯モード選択部３５によって選択された防犯モードに対応する機器制御情報を選択し、選択された機器制御情報を制御対象機器４０へ出力する。
【００８９】
制御機器テーブル記憶部３４は、防犯モードと制御対象機器４０を制御する機器制御情報とを対応付けた制御機器テーブルを記憶する。図１０は、制御機器テーブル記憶部３４が記憶する制御機器テーブルの一例を示す図である。
【００９０】
図１０に示すように、制御機器テーブル３４２のフィールドは、防犯モードと、エアコン、センサー１，２，３及びヒーター等の制御対象機器の運転状態とで構成される。例えば、「ＯＦＦ」という防犯モードには、「ＯＮ」、「ＯＦＦ」、「ＯＦＦ」、「ＯＦＦ」及び「ＯＮ」というエアコン、センサー１，２，３及びヒーターの運転状態がそれぞれ対応付けられている。
【００９１】
なお、本実施の形態において、防犯モードテーブル記憶部３６が制御モード記憶手段の一例に相当し、防犯モード選択部３５が制御モード選択手段の一例に相当する。
【００９２】
次に、本発明の実施の形態２に係る防犯システムの動作について説明する。図１１は、本発明の実施の形態２に係る防犯システムの動作について説明するためのフローチャートである。
【００９３】
まず、操作状態識別部２１は、電気錠２０が操作されたか否かを判断する。すなわち、操作状態識別部２１は、電子鍵１又は電子鍵２による操作、あるいは内錠２３による操作が施錠操作であるか又は解錠操作であるかを識別する（ステップＳ１１）。ここで、電気錠２０の操作が行われない場合（ステップＳ１１でＮＯ）、電気錠２０の操作が行われるまで待機状態となる。
【００９４】
電気錠２０は、電子鍵１、電子鍵２による室外での施錠、解錠の操作、あるいは、室内での内錠２３の操作により、扉の施錠、解錠、および、防犯の状態の選択が行える電子回路を内蔵した錠である。電気錠２０は、操作状態識別部２１と情報読出部２２とを有している。操作状態識別部２１は、電気錠２０が施錠及び解錠のいずれの操作状態であるかを識別し、検知する。情報読出部２２は、電子鍵１、電子鍵２及び内錠２３が記憶する識別情報（鍵情報）を読み出す。
【００９５】
ユーザは、電子鍵１，２を扉に設けた電気錠２０の鍵穴に差し込み、所定の方向に回転させることにより、扉を施錠又は解錠する。この機構は、周知のシリンダー形態の錠と同様でよい。電気錠２０には、電子鍵１，２の回転操作により施錠されたか、解錠されたかを検知する電気回路を設けておく。このためには、上記機構に連動してスイッチ回路を設けておけばよい。上記操作状態識別部２１はスイッチ回路で構成され、スイッチ回路のＯＮ、ＯＦＦ信号が操作状態情報としてコントローラ３０へ出力される。例えば、操作状態識別部２１は、電気錠２０が施錠された場合、ＯＮ信号をコントローラ３０へ出力し、電気錠２０が解錠された場合、ＯＦＦ信号をコントローラ３０へ出力する。
【００９６】
また、内錠２３は、家屋の内部で使用する防犯モード選択用の錠である。従来の扉に設ける錠には、シリンダー錠に加えて、内側から施錠又は解錠する錠が付いている場合がある。ユーザは、内側のつまみを回すことにより、扉の施錠又は解錠ができる。内錠２３は、このような内部錠の機能を果たすことができる。内錠２３は、電気錠２０の内部に取り付けられており、電気錠２０の内錠２３用のつまみを操作することにより、施錠又は解錠ができる。この操作に従って、操作状態識別部２１は、施錠又は解錠を示す操作状態情報を操作状態取得部３１へ出力する。同時に、情報読出部２２は、内錠２３が備える鍵情報記憶部２３１から内錠２３の識別情報を読み出し、鍵情報取得部３２へ出力する。
【００９７】
一方、電気錠２０の操作が行われ、電子鍵又は内錠による操作が施錠操作であるか又は解錠操作であるかが識別された場合（ステップＳ１１でＹＥＳ）、操作状態識別部２１は、識別した操作状態を表す操作状態情報をコントローラ３０の操作状態取得部３１へ出力する。操作状態取得部３１は、操作状態識別部２１によって出力された操作状態情報を取得する（ステップＳ１２）。
【００９８】
電子鍵１，２による施錠又は解錠の操作が行われた場合、情報読出部２２は、電気錠２０の鍵穴に挿入された電子鍵１，２が備える鍵情報記憶部１０１，２０１から鍵情報を読み出し、読み出した鍵情報をコントローラ３０の鍵情報取得部３２へ出力する。また、内錠２３による施錠又は解錠の操作が行われた場合、情報読出部２２は、電気錠２０の内錠２３が備える鍵情報記憶部２３１から鍵情報を読み出し、読み出した鍵情報をコントローラ３０の鍵情報取得部３２へ出力する。コントローラ３０の鍵情報取得部３２は、情報読出部２２によって出力された鍵情報を取得する（ステップＳ１３）。
【００９９】
電子鍵１，２の内部には、メモリ（鍵情報記憶部１０１，２０１）が設けられており、ユーザが、鍵穴の中で電子鍵１，２を回転させたときに、電子鍵１，２に設けた接点と電気錠２０に設けた接点とが接触し、メモリに記憶されている識別情報（鍵情報）が電気錠２０に伝送される。なお、情報読出部２２は、電気錠２０の上記接点回路で構成される。
【０１００】
コントローラ３０は、操作状態取得部３１によって取得された操作状態情報と、鍵情報取得部３２によって取得された識別情報（鍵情報）とに基づいて防犯モードを決定する防犯モード選択部３５と、防犯モード選択部３５によって決定された防犯モードに基づいて制御対象機器４０を制御する機器制御部３３とを有している。
【０１０１】
操作状態取得部３１は、取得した操作状態情報を防犯モード選択部３５へ出力する。また、鍵情報取得部３２は、取得した識別情報（鍵情報）を防犯モード選択部３５へ出力する。次に、防犯モード選択部３５は、防犯モードテーブル記憶部３６に記憶されている防犯モードテーブル３６１を参照し、操作状態情報と識別情報とに割り当てられた防犯モード情報を選択する（ステップＳ１４）。そして、防犯モード選択部３５は、選択した防犯モード情報を機器制御部３３へ出力する。
【０１０２】
次に、機器制御部３３は、制御機器テーブル記憶部３４に記憶されている制御機器テーブル３４２を参照し、防犯モード情報に基づいて、制御する制御対象機器とその制御内容とを決定する（ステップＳ１５）。制御機器テーブル３４２には、図１０に一例を示す様に、防犯モード毎に、家屋内の各種機器の制御の状態を規定する機器制御情報が規定されている。
【０１０３】
次に、機器制御部３３は、家屋内の制御対象機器４０の各制御の状態を規定する機器制御情報を制御対象機器４０へ出力し、制御対象機器４０を制御する（ステップＳ１６）。制御対象機器４０は、機器制御部３３によって出力された機器制御情報に基づく動作を開始する。
【０１０４】
このように、家屋外から扉を施錠又は解錠する電子鍵１，２、及び家屋内から扉を施錠又は解錠する内錠２３の操作内容毎に防犯モードが自動的に決定され、決定された防犯モードに応じた機器制御が可能となる。
【０１０５】
また、電子鍵１，２には、電子鍵１，２を識別する識別情報が記憶されている。また、操作状態情報と識別情報と制御対象機器４０の制御方法を特定する防犯モードとが対応付けて記憶されており、防犯モードと、制御対象機器４０を制御する機器制御情報とが対応付けて記憶されている。そして、電子鍵１，２が記憶する識別情報が取得され、取得された操作状態情報と識別情報とに対応する防犯モードが選択される。続いて、選択された防犯モードに対応する機器制御情報が選択され、選択された機器制御情報に基づいて制御対象機器４０が制御される。
【０１０６】
したがって、電子鍵１，２の操作状態情報と識別情報と制御対象機器４０の制御方法を特定する防犯モードとを対応付けておくことによって、操作状態と識別情報とを取得するだけで防犯モードを容易に選択することができる。また、防犯モードと、制御対象機器４０を制御する機器制御情報とを対応付けておくことによって、防犯モード毎に制御対象機器４０の制御を容易に変更することができる。
【０１０７】
なお、内錠２３は、電子鍵１，２と基本的に同様の構造にしてもよい。この場合、扉に設けた電気錠２０の家屋内部側に鍵穴が設けられる。そして、内錠に対応する専用の内鍵を鍵穴に挿入し、所定の方向に回転させることにより、内錠２３を施錠又は解錠する。内鍵には、上記の識別情報（鍵情報）を記憶するメモリを設け、内錠の解錠と施錠とに対応した防犯モードを設定し、防犯動作を可能にすることができる。なお、上記内錠２３は、設けないようにしてもよい。また、電子鍵は、２通り以上でもよく、１通りだけでもよい。
【０１０８】
また、電気錠２０が扉を施錠する構造は、電気錠２０に設けられた金属のかんぬき棒を入り口の周囲の枠である框に差し込む構造や、掛け金で扉を固定する構造のような周知の方法でよい。この場合、電子鍵１，２を鍵穴に差し込んで回転させる操作に機械的に連動させて、上記かんぬき棒や掛け金を移動させる。あるいは、上記かんぬき棒や掛け金をモータやマグネットの駆動力により移動させて施錠又は解錠を行う構造にしてもよい。電気錠２０は、電子鍵１，２の施錠又は解錠動作を電気的に検知したときに、モータやマグネットを駆動し、施錠又は解錠を行う。このようにしておけば、電気錠２０に他の場所から電気信号を送ることにより、扉を施錠又は解錠することが可能になる。
【０１０９】
扉や窓の施錠、解錠を電気的に行う電気錠２０の場合は、停電時に解錠にならないように、電気錠２０のそれまでの状態を維持する機構にすることが好ましい。このためには、施錠又は解錠の際には、トリガーをかけるために電気エネルギーを使用し、施錠又は解錠完了後は、電気エネルギーを使わない方式にすればよい。また、地震、火災などの緊急時には、施錠を手動で解錠できる機構にすることが好ましい。
【０１１０】
本実施の形態では、操作状態情報と識別情報とから、防犯モードテーブル３６１と制御機器テーブル３４２とを用いて、各制御対象機器４０の制御用の機器制御情報を各制御対象機器４０へ供給するようにしている。電子鍵１，２や内錠２３が記憶する識別情報は、それぞれを区別することができる情報であればよいので、情報量は少なくてすむ。制御機器テーブル３４２に代表的な機器制御情報の組み合わせを用意しておけば、それらの防犯モードを識別する識別子を防犯モード選択部３５において選択し、切り替えるだけで、電子鍵の機能を変更することが可能になる。従って、複数の鍵を作成しても、それらの管理が容易である。
【０１１１】
また、電子鍵１と電子鍵２との使い分けの一例について説明する。例えば、電子鍵１は、親が使用する鍵とし、電子鍵２は、子どもが使用する鍵とする。
【０１１２】
親が施錠した際には家中の全センサーをＯＮにし、電気製品の電源をＯＦＦにするようにし、親が解錠した際には逆に全センサーをＯＦＦにし、電気製品が使用可能となるようにする。
【０１１３】
親が施錠後、子供が学校などから帰宅して解錠した場合、玄関やベランダなど家の一部のセンサーをＯＦＦにし、電気製品もエアコンやテレビなどは使用可能とするが、ＩＨクッキングヒータやガスコンロなどの火気類は使用不可能とする。また、パソコン、専用端末、及び電話／ＦＡＸなどのメモ録機能のある電気製品に伝言メモがあれば、自動再生などを行うようにする。
【０１１４】
上記のような制御内容は、各電子鍵１，２の識別情報に応じた防犯モード情報に対応付け、制御機器テーブル３４２に設定しておく。このように、電子鍵１，２ごとに、使用者を想定した防犯モードを設定することができるので、侵入犯罪の防止だけでなく、火災予防や災害予防の効果も得られる。
【０１１５】
（実施の形態３）
図１２は、本発明の実施の形態３に係る機器制御システムの一例である防犯システムの構成を示すブロック図である。実施の形態３は、実施の形態２における防犯システムに電気錠５０をさらに設置した例である。図１２において、機器制御システムの一例である防犯システムは、電子鍵１，２，３，４、電気錠２０、コントローラ３０、制御対象機器４０及び電気錠５０を備えて構成される。なお、実施の形態２における防犯システムと同じ構成については説明を省略し、実施の形態２とは異なる構成についてのみ説明する。
【０１１６】
電子鍵３，４は、電気錠５０を屋外から施錠又は解錠する。電子鍵３は、電子鍵３を識別するための識別情報を含む鍵情報を記憶する鍵情報記憶部３０１を備える。電子鍵４は、電子鍵４を識別するための識別情報を含む鍵情報を記憶する鍵情報記憶部４０１を備える。なお、電子鍵３，４の構成は、実施の形態２における電子鍵１，２の構成と同じであるので説明を省略する。
【０１１７】
電気錠５０は、電気錠２０が設置される扉とは異なる扉に設置される。電気錠５０は、操作状態識別部５１、情報読出部５２及び内錠５３を備える。操作状態識別部５１は、電気錠５０が施錠及び解錠のいずれの操作状態であるかを識別し、検知する。情報読出部５２は、電子鍵３、電子鍵４及び内錠５３が記憶する鍵情報を読み出す。
【０１１８】
内錠５３は、鍵情報記憶部５３１を備える。鍵情報記憶部５３１は、内錠を識別するための識別情報を含む鍵情報を記憶する。なお、内錠５３の構成は、内錠２３の構成と同じであるので説明を省略する。
【０１１９】
コントローラ３０は、操作状態取得部３１、鍵情報取得部３２、機器制御部３３、制御機器テーブル記憶部３４、防犯モード選択部３５及び防犯モードテーブル記憶部３６を備える。
【０１２０】
操作状態取得部３１は、電気錠２０の操作状態識別部２１によって識別された操作状態情報を取得すると共に、電気錠５０の操作状態識別部５１によって識別された操作状態情報を取得する。操作状態取得部３１は、取得した操作状態情報を防犯モード選択部３５へ出力する。
【０１２１】
鍵情報取得部３２は、電気錠２０の情報読出部２２によって読み出された鍵情報を取得すると共に、電気錠５０の情報読出部５２によって読み出された鍵情報を取得する。鍵情報取得部３２は、取得した鍵情報を防犯モード選択部３５へ出力する。
【０１２２】
防犯モードテーブル記憶部３６は、電子鍵及び内錠を識別する識別情報と、制御対象機器４０の制御方法を特定する防犯モードとを対応付ける防犯モードテーブルを電気錠毎に記憶する。防犯モードテーブル記憶部３６は、電子鍵１，２及び内錠２３を識別する識別情報と、制御対象機器４０の制御方法を特定する防犯モードとを対応付ける防犯モードテーブル３６１と、電子鍵３，４及び内錠５３を識別する識別情報と、制御対象機器４０の制御方法を特定する防犯モードとを対応付ける防犯モードテーブル３６２とを記憶する。
【０１２３】
図１３は、本発明の実施の形態３において、コントローラ３０の防犯モードテーブル記憶部３６に記憶される防犯モードテーブル３６２の一例を示す図である。図１３に示す防犯モードテーブル３６２には、電子鍵３、電子鍵４及び内錠５３が記憶する識別情報と、施錠又は解錠の操作状態とに予め割り当てられた防犯モード情報が格納されている。例えば、図１３に示すように、「内錠」という識別情報（ここでの「内錠」とは内錠５３のことである）と、「施錠」という操作状態とには、「ＯＦＦ」という防犯モードが対応付けられている。また、例えば、「電子鍵３」という識別情報と、「施錠」という操作状態とには、「Ｆ」という防犯モードが対応付けられている。
【０１２４】
防犯モード選択部３５には、電気錠２０からの操作状態情報及び識別情報（鍵情報）に加えて、電気錠５０からの操作状態情報及び識別情報（鍵情報）が入力される。電気錠２０から操作状態情報と識別情報とが入力された場合、防犯モード選択部３５は、防犯モードテーブル記憶部３６に記憶されている防犯モードテーブル３６１を参照し、操作状態取得部３１によって取得された操作状態情報と、鍵情報取得部３２によって取得された識別情報とに対応する防犯モードを選択する。また、電気錠５０から操作状態情報と識別情報とが入力された場合、防犯モード選択部３５は、防犯モードテーブル記憶部３６に記憶されている防犯モードテーブル３６２を参照し、操作状態取得部３１によって取得された操作状態情報と、鍵情報取得部３２によって取得された識別情報とに対応する防犯モードを選択する。
【０１２５】
防犯モード選択部３５は、電気錠２０の操作状態情報と、電気錠５０の操作状態情報とのうち、最新の操作状態情報を判定する。防犯モード選択部３５は、防犯モードテーブル３６１又は防犯モードテーブル３６２を参照し、最新であると判定された操作状態情報と、識別情報とに対応付けられている防犯モード情報を選択する。そして、防犯モード選択部３５は、選択された防犯モード情報の識別子を、実施の形態２の場合と同様に、機器制御部３３へ出力する。
【０１２６】
このように、実施の形態３では、電気錠２０を玄関扉に設置し、電気錠５０を勝手口扉に設置するようにすれば、どちらの扉からも、外出時の施錠、帰宅時の解錠ができる。
【０１２７】
また、複数の操作状態識別部２１，５１によって識別された複数の操作状態情報が取得され、取得された複数の操作状態情報のうちの最新の操作状態情報が判定される。そして、最新であると判定された操作状態情報と、取得された鍵情報とに基づいて制御対象機器４０が制御される。したがって、複数の操作状態情報が取得されたとしても、最新の操作状態情報と鍵情報とに基づいて制御対象機器４０が制御されるので、常に最新の鍵の操作状態に応じて制御対象機器４０を制御することができる。
【０１２８】
なお、本実施の形態において、防犯モード選択部３５が判定手段の一例に相当する。
【０１２９】
また、防犯モード選択部３５は、防犯モードテーブル３６１を参照することにより、電気錠２０からの操作状態情報と識別情報とに対応する防犯モードを選択し、防犯モードテーブル３６２を参照することにより、電気錠５０からの操作状態情報と識別情報とに対応する防犯モードを選択する。したがって、外出時の施錠、帰宅時の解錠を操作した電気錠と電子鍵の組み合わせによって防犯モードの設定を変更することが可能となる。
【０１３０】
また、実施の形態３では、内錠専用の第３の電気錠を、更に、居間などの室内にも設けておき、この第３の電気錠の内錠を使って、室内に居たままで、防犯モードの選択を行うようにしてもよい。この場合、就寝時などに、施錠するために、玄関扉まで行ったり、戸外に出たりしなくともよくなる。ただし、扉に設けた電気錠には実施の形態２において説明したような、電磁機構を使用した機械的な施錠機構を設け、この施錠機構を制御対象機器４０として、機器制御部３３から施錠又は解錠の制御を行えるようにする必要がある。また、この場合、内錠専用の電気錠には、扉の施錠機構はなくともよい。
【０１３１】
さらに、内錠専用の電気錠は、コントローラ３０に内蔵させてもよい。防犯モード選択部３５と機器制御部３３とは、家屋内で離れて設置してもよいし、同じ部屋に設置してもよい。また、同一筐体内に収容してもよい。
【０１３２】
上記各実施の形態の説明における電子鍵１，２，３，４及び内錠用の内鍵は、ＩＣカード状にしてもよい。ＩＣカード内には識別情報を記憶しておき、ＩＣカード表面には、扉を施錠するための施錠ボタン及び扉を解錠するための解錠ボタンを設けておく。ＩＣカードは、電気錠２０、５０と無線通信できるようにする。ＩＣカードに設けられた施錠ボタン又は解錠ボタンが操作されると、ＩＣカード内のメモリに記憶されている識別情報と操作状態情報とが、電気錠２０、５０に送信される。電気錠２０、５０では、操作状態情報と識別情報とを受信し、受信した操作状態情報をコントローラ３０の操作状態取得部３１へ出力し、受信した識別情報をコントローラ３０の鍵情報取得部３２へ出力する。電気錠２０には、扉を施錠及び解錠する機構が設けられ、この機構が制御対象機器４０の１つとなる。受信した操作状態情報に従って施錠又は解錠機構が動作する。
【０１３３】
ＩＣカード状の電子鍵１，２，３，４は、ホテルで使用されるカード状のキーのように、ドアの錠前のスリットに差し込んで使用するようにしてもよい。この場合、電気錠２０、５０が解錠状態でＩＣカードを差し込んだ場合は、解錠状態から施錠状態に切り替え、電気錠２０、５０が施錠状態でＩＣカードを差し込んだ場合は、施錠状態から解錠状態に切り替えるようにすればよい。施錠されているか解錠されているかが分りにくい場合は、音、または、発光ダイオードなどの表示により知らせるようにすればよい。また、電気錠２０、５０のＩＣカード挿入口の付近に施錠及び解錠を指示するボタンやつまみを設けてもよい。
【０１３４】
ＩＣカードには、識別情報に加えて、電気錠２０、５０のＩＤコードに対応したＩＤ情報を記憶しておいてもよい。そして、ＩＣカードを差し込んだときに、電気錠２０、５０は、ＩＣカードからＩＤ情報を読み出し、電気錠２０、５０が保有する自身のＩＤコードと一致する場合にのみ、施錠又は解錠を行う。一致しない場合には、不一致の記録を行うか、防犯監視センターに不一致の通知を行うようにする。
【０１３５】
このように、電子鍵としてＩＣカードを用いた場合、ＩＣカードの識別情報毎に異なる機器制御情報を対応させることが可能になり、１人が複数のＩＣカードを所持しておき、必要に応じて、制御対象機器に対して異なった設定を行うようにすることができる。
【０１３６】
さらにまた、コントローラ３０は、例えばパソコンの表示画面と同様の液晶表示器等で構成される表示部と、制御選択受付部とをさらに備え、表示部は、防犯モードの各識別子に対応する制御対象機器の制御内容を表示し、制御選択受付部は、防犯モードの各識別子に対応する制御対象機器の制御内容の選択を受け付け、制御内容を設定するようにしてもよい。また、コントローラ３０は、電子鍵又は内錠の識別情報及び操作状態情報ごとに割り振る防犯モードを設定変更する防犯モード設定部をさらに備えてもよい。エアコンなどの家電機器では、電源のＯＮ、ＯＦＦだけでなく、温度設定やタイマー設定も行えるようにしてもよい。
【０１３７】
制御選択受付部は、例えばパソコンのキーボード等のような入力部により制御内容を入力するようにしてもよいし、表示部にタッチパネル機能を持たせて、表示された選択肢の中からタッチにより制御内容を選択して、制御内容を指示するようにしてもよい。
【０１３８】
なお、上記説明では、電子鍵１，２，３，４の識別情報は、電子的情報として電子鍵の内部に記憶するようにしたが、電子鍵１，２，３，４の機構的な形状に識別情報を組み込んで、電気錠２０が、その機構的な形状を識別して、識別情報を検知するようにしてもよい。
【０１３９】
また、識別情報に誤り検出符号を付加したり、識別情報を暗号化することにより、誤動作を防止したり、悪意による意図的な解錠や設定状態の改変を防止するようにしてもよい。このためには、電子鍵１，２，３，４には、誤り検出符号を付加した識別情報や、暗号化した識別情報を記憶しておく。そして、電気錠２０では、誤り検出処理を行う機能や、暗号の復号化を行う機能を持たせる。
【０１４０】
操作者の指紋、虹彩などによる個人認証システムと連動させて、予め許可された個人の識別情報のみを有効とするようにしてもよい。このためには、個人認証システムの出力する個人コードを電気錠２０が受け取り、電気錠２０内部に保有する個人コードと識別情報の対応テーブルに記載された、識別情報と個人コードの組を受け取った場合にのみ、電子鍵を有効とし、それ以外の場合は、電子鍵を無効として、解錠しないようにすればよく、また、識別情報と操作状態情報とをコントローラ３０に送らないようにすればよい。なお、個人認証システムの出力情報の処理は、防犯モード選択部３５又は機器制御部３３において行ってもよい。
【０１４１】
また、上記各実施の形態では、防犯モードテーブル３６１（又は防犯モードテーブル３６２）と制御機器テーブル３４１（又は制御機器テーブル３４２）とを用いて、操作状態情報と識別情報とに基づいて、各制御対象機器の制御用の情報を各制御対象機器４０に供給するようにしているが、本発明は特にこれに限定されず、防犯モードテーブル３６１（又は防犯モードテーブル３６２）と制御機器テーブル３４１（又は制御機器テーブル３４２）とを統合して、操作状態情報と識別情報とに対応した各制御対象機器の制御内容のテーブルとしてもよい。この場合、防犯モード選択部３５と機器制御部３３とが統合されることになる。識別情報が異なる電子鍵を家族が使い分けることにより、制御対象機器の防犯設定を大人と子供などで異ならせることが可能になる。
【０１４２】
また、各電子鍵毎に、各制御対象機器の制御内容を内部のメモリ（鍵情報記憶部）に記憶し、施錠又は解錠の際に、記憶している制御内容情報を電気錠２０が読み出してもよい。電気錠２０は、この制御内容情報をコントローラ３０の機器制御部３３に出力し、機器制御部３３は、制御内容情報に基づいて制御対象機器４０を制御する。電子鍵は施錠時と解錠時とに対応した制御内容情報をそれぞれ内部のメモリに記憶する。この場合、防犯モード選択部３５、防犯モードテーブル記憶部３６及び制御機器テーブル記憶部３４は不要になる。
【０１４３】
このようにすれば、ユーザは、電子鍵に記憶されている制御対象機器４０の制御内容情報を出先で変更しておき、帰宅時に所望の制御を制御対象機器４０に対して行わせることが可能になる。また、電子鍵をＩＣカードにした場合、出先でＩＣカードの内容を操作することにより、制御対象機器４０の制御内容を出先で変更しておき、帰宅時に所望の制御を制御対象機器４０に対して行わせることが可能になる。さらに、防犯システムの構成を簡略化することができる。
【０１４４】
次に、上記防犯モード情報の変形例について説明する。図１４は、防犯モード情報の変形例について説明するための図である。防犯モード情報に対応する制御機器情報を図１４のような形態にして、制御機器テーブル記憶部３４に記憶する。すなわち、防犯モードに対応する各機器の制御状態を示す情報に加えて、関連する他の防犯モードを記載するエリアを設ける。例えば、防犯モードが「ＯＦＦ」の場合、人感センサーであるセンサー１のエリアには、センサー１の制御状態「ＯＦＦ」および防犯モード「Ｂ」の情報が記載される。防犯モード「Ｂ」には、監視用のカメラ１の制御状態が対応付けられており、カメラ１の制御状態は「ＯＦＦ」が対応付けられている。
【０１４５】
防犯モード「Ａ」では、センサー１(人感センサー)をＯＮにすると、センサー１が反応した際に連動動作するカメラ１の電源をＯＮにする。この情報に基づき、センサー１が反応した際に動作させるカメラ１との対応付けも同時に可能となる。従って、防犯モード「Ａ」に設定した際に、エアコン「ＯＦＦ」、センサー１「ＯＮ」、防犯モード「Ｄ」(カメラ１ＯＮ)、センサー３「ＯＮ」、防犯モード「Ｅ」(ヒータＯＦＦ)の制御が行われる。
【０１４６】
このように、制御機器テーブル記憶部３４の制御機器テーブルに記憶する機器制御情報に階層構造を持たせることにより、機器を特定の状態としたときに、他の機器も連動して状態を変えることができる。設定状態をグループ化することになり、機器の状態とグループに関連付けを行うことが可能になる。
【０１４７】
また、電子鍵より識別情報を取得し解錠操作をした際に未登録(取得不可も含む)の識別情報の場合の対処を防犯モードとして規定でき、模造品防止などにも役立つ。
【０１４８】
また、識別情報を保持した電子鍵により、外出時の施錠、帰宅時の解錠、在宅時の施錠、及び在宅時の解錠の状況を識別し、施錠・解錠の操作だけで防犯モードの設定を行うとともに、エアコンや照明などの家電製品の運転状態を制御することで、防犯システムの使い勝手を向上させることができる。
【産業上の利用可能性】
【０１４９】
本発明にかかる機器制御装置、機器制御方法、機器制御プログラム及び機器制御システムは、家庭用の防犯システムとして有用である。また、事務所、事業所、集合ビル内部の防犯システムとしても使用可能である。また、防犯に限らず、電子鍵による各種機器の安全な制御にも活用可能である。
【図面の簡単な説明】
【０１５０】
【図１】本発明の実施の形態１に係る機器制御システムの一例である防犯システムの構成を示すブロック図である。
【図２】本発明の実施の形態１において、電子鍵及び内錠に記憶される鍵情報の一例を示す図である。
【図３】本発明の実施の形態１において、制御機器テーブル記憶部が記憶する制御機器テーブルの一例を示す図である。
【図４】本発明の実施の形態１に係る防犯システムの動作について説明するためのフローチャートである。
【図５】エアコン、照明、人感センサー及び留守番電話を制御する場合における電子鍵及び内錠に記憶される鍵情報の一例を示す図である。
【図６】エアコン、照明、人感センサー及び留守番電話を制御する場合における制御機器テーブルの一例を示す図である。
【図７】本発明の実施の形態２に係る機器制御システムの一例である防犯システムの構成を示すブロック図である。
【図８】本発明の実施の形態２において、電子鍵及び内錠に記憶される鍵情報の一例を示す図である。
【図９】本発明の実施の形態２において、コントローラの防犯モードテーブル記憶部に記憶される防犯モードテーブルの一例を示す図である。
【図１０】本発明の実施の形態２において、制御機器テーブル記憶部が記憶する制御機器テーブルの一例を示す図である。
【図１１】本発明の実施の形態２に係る防犯システムの動作について説明するためのフローチャートである。
【図１２】本発明の実施の形態３に係る機器制御システムの一例である防犯システムの構成を示すブロック図である。
【図１３】本発明の実施の形態３において、コントローラの防犯モードテーブル記憶部に記憶される防犯モードテーブルの一例を示す図である。
【図１４】防犯モード情報の変形例について説明するための図である。
【符号の説明】
【０１５１】
１，２，３，４    電子鍵
２０，５０    電気錠
２１，５１    操作状態識別部
２２，５２    情報読出部
２３，５３    内錠
３０    コントローラ
３１    操作状態取得部
３２    鍵情報取得部
３３    機器制御部
３４    制御機器テーブル記憶部
３５    防犯モード選択部
３６    防犯モードテーブル記憶部
４０    制御対象機器
１０１，２０１，２３１，３０１，４０１，５３１    鍵情報記憶部
３４１，３４１’，３４２    制御機器テーブル
３６１，３６２    防犯モードテーブル
【図１】
2005307736.tif 000003
【図２】
2005307736.tif 000004
【図３】
2005307736.tif 000005
【図４】
2005307736.tif 000006
【図５】
2005307736.tif 000007
【図６】
2005307736.tif 000008
【図７】
2005307736.tif 000009
【図８】
2005307736.tif 000010
【図９】
2005307736.tif 000011
【図１０】
2005307736.tif 000012
【図１１】
2005307736.tif 000013
【図１２】
2005307736.tif 000014
【図１３】
2005307736.tif 000015
【図１４】
2005307736.tif 000016